(57)【要約】【課題】特殊形状のシュリンクフィルムを用いることなくコストを抑えることができ、被包装物の保存期間を短くすることなく、被包装物を取り出すための手間が少ないシュリンク包装物品及びシュリンク包装物品の製造方法を提供する。【解決手段】シュリンク包装物品１は、シュリンクフィルム２０を供給するシュリンクフィルム供給工程Ｓ１と、被包装物１０を供給する被包装物供給工程Ｓ２と、被包装物１０を囲うように筒状に成形するシュリンクフィルム筒状成形工程Ｓ３と、重なり部２１に静電気を付与することで、重なり部２１を弱静電力で接合する接合工程Ｓ４と、シュリンクフィルム２０を溶断して被包装物１０を封入する封入工程Ｓ５と、シュリンクフィルム２０を熱収縮させる収縮工程Ｓ７と、開封テープ３０を重なり部２１の表面に貼り付ける開封テープ貼り付け工程Ｓ８とを備える製造方法で製造される。【選択図】図５
2020055578.tif 000002
【特許請求の範囲】
【請求項１】
長尺なシュリンクフィルムを送り方向に送りながら供給するシュリンクフィルム供給工程と、
前記シュリンクフィルムと重なる範囲に固形の被包装物を供給する被包装物供給工程と、
前記被包装物を囲うように、前記シュリンクフィルムの前記送り方向に沿って延びる両縁部分を互いに重なり合わせて前記シュリンクフィルムを筒状に成形するシュリンクフィルム筒状成形工程と、
前記両縁部分を重なり合わせた重なり部に静電気を付与することで、前記重なり部の前記両縁部分同士を弱静電力で接合する接合工程と、
前記シュリンクフィルムを前記送り方向に対して交差する方向に沿って溶断することで、前記被包装物を前記シュリンクフィルムに封入する封入工程と、
前記シュリンクフィルムを熱収縮させて、前記シュリンクフィルムを前記被包装物に密着させる収縮工程と、
粘着面を有する開封テープを前記重なり部の表面に貼り付ける開封テープ貼り付け工程とを備えることを特徴とするシュリンク包装物品の製造方法。
【請求項２】
前記開封テープ貼り付け工程では、前記開封テープを、前記重なり部から外側に張り出すようにして貼り付けることを特徴とする請求項１に記載のシュリンク包装物品の製造方法。
【請求項３】
固形の被包装物と、
重なり合って弱静電力によって接合されている重なり部を有し、前記被包装物を封入しているシュリンクフィルムと、
前記重なり部の表面に貼り付けられている開封テープとを備えることを特徴とするシュリンク包装物品。
【請求項４】
前記シュリンクフィルムは、溶着された溶着部を有し、前記溶着部が前記重なり部と繋がっていることを特徴とする請求項３に記載のシュリンク包装物品。
【請求項５】
前記シュリンクフィルムは、熱収縮によって少なくとも部分的に前記被包装物を密着固定して前記被包装物を封入していることを特徴とする請求項３又は４に記載のシュリンク包装物品。
【請求項６】
前記開封テープは、前記重なり部の長手方向における中間位置に貼り付けられていることを特徴とする請求項３〜５のいずれかに記載のシュリンク包装物品。
【請求項７】
前記開封テープは、前記重なり部から外側に張り出していることを特徴とする請求項３〜６のいずれかに記載のシュリンク包装物品。
【発明の詳細な説明】
【技術分野】
【０００１】
本発明は、シュリンク包装物品の製造方法及びシュリンク包装物品に関する。
【背景技術】
【０００２】
近年、シュリンクフィルムを用いて被包装物がシュリンク包装されたシュリンク包装物品が流通している。シュリンク包装物品は、シュリンクフィルムがしっかりしていて破れ難いため、特に工夫がなされていなければ被包装物を取り出す際の開封が難しい。このため、開封しやすいよう工夫されたシュリンク包装物品が提案されている。例えば、ミシン目が形成されたシュリンクフィルムを用いて被包装物がシュリンク包装され、ミシン目に沿って引き裂いて開封することができるシュリンク包装物品が提案されている（例えば、特許文献１参照。）。また例えば、開封用帯が形成されたシュリンクフィルムを用いて被包装物がシュリンク包装され、開封用帯によってシュリンクフィルムを引き裂いて開封することができるシュリンク包装物品が提案されている（例えば、特許文献２参照。）。
【０００３】
図７は、特許文献１に記載された従来技術を応用し、ミシン目Ｃが形成されたシュリンクフィルムを用いてシュリンク包装されたシュリンク包装物品７００の斜視図である。
図８は、特許文献２に記載された従来技術を応用し、開封用帯Ｔが形成されたシュリンクフィルムを用いてシュリンク包装されたシュリンク包装物品８００の斜視図である。
【０００４】
シュリンク包装物品７００は、図７に示すように、ミシン目Ｃ（切込線）が形成されたシュリンクフィルム７２０を用いて被包装物７１０がシュリンク包装されており、シュリンクフィルム７２０の表面に開封テープ７３０が貼り付けられている。シュリンク包装物品７００においては、開封者は、開封テープ７３０を引っ張ることでシュリンクフィルム７２０をミシン目Ｃに沿って引き裂いて容易に開封することができ、被包装物７１０を取り出すことができる。
【０００５】
シュリンク包装物品８００は、図８に示すように、開封用帯Ｔが形成されたシュリンクフィルム８２０を用いて被包装物８１０がシュリンク包装されている。シュリンク包装物品８００においては、開封者は、開封用帯Ｔの先端を引っ張ることで開封用帯Ｔによってシュリンクフィルム８２０を引き裂いて容易に開封することができ、被包装物８１０を取り出すことができる。
【先行技術文献】
【特許文献】
【０００６】
【特許文献１】特開平７−２０６０３９号公報
【特許文献２】特開２０１１−１７３５９５号公報
【発明の概要】
【発明が解決しようとする課題】
【０００７】
しかしながら、シュリンク包装物品７００においては、シュリンクフィルム７２０に、被包装物７１０に対応させてミシン目Ｃが形成された特殊形状のシュリンクフィルムを用いる必要があり、コストを抑えることが難しいという課題がある。また、シュリンク包装物品７００においては、被包装物７１０がミシン目Ｃの貫通孔（多数の貫通孔）を通して外気に多く触れるため、被包装物７１０の保存期間が短くなる場合があるという課題がある。
【０００８】
また、シュリンク包装物品８００においては、シュリンクフィルム８２０に、被包装物８１０に対応させて開封用帯Ｔが形成された特殊形状のシュリンクフィルムを用いる必要があり、コストを抑えることが難しいという課題がある。また、シュリンク包装物品８００においては、開封者は、開封する際に開封用帯Ｔでシュリンクフィルム８２０を切り裂いてからシュリンクフィルム８２０を開くという２動作が必要となり、１動作でシュリンクフィルムを切り裂きながら開くシュリンク包装物品と比べ、被包装物を取り出すための手間が多いという課題がある。
【０００９】
そこで、本発明は、上記した課題を解決するためになされたもので、特殊形状のシュリンクフィルムを用いることなくコストを抑えることができ、被包装物の保存期間を短くすることなく、被包装物を取り出すための手間が少ないシュリンク包装物品及びこのようなシュリンク包装物品の製造方法を提供することを目的とする。
【課題を解決するための手段】
【００１０】
［１］本発明のシュリンク包装物品の製造方法は、長尺なシュリンクフィルムを送り方向に送りながら供給するシュリンクフィルム供給工程と、前記シュリンクフィルムと重なる範囲に固形の被包装物を供給する被包装物供給工程と、前記被包装物を囲うように、前記シュリンクフィルムの前記送り方向に沿って延びる両縁部分を互いに重なり合わせて前記シュリンクフィルムを筒状に成形するシュリンクフィルム筒状成形工程と、前記両縁部分を重なり合わせた重なり部に静電気を付与することで、前記重なり部の前記両縁部分同士を弱静電力で接合する接合工程と、前記シュリンクフィルムを前記送り方向に対して交差する方向に沿って溶断することで、前記被包装物を前記シュリンクフィルムに封入する封入工程と、前記シュリンクフィルムを熱収縮させて、前記シュリンクフィルムを前記被包装物に密着させる収縮工程と、粘着面を有する開封テープを前記重なり部の表面に貼り付ける開封テープ貼り付け工程とを備えることを特徴とする。
【００１１】
本発明のシュリンク包装物品の製造方法によれば、被包装物を囲うように、シュリンクフィルムの送り方向に沿って延びる両縁部分を互いに重なり合わせてシュリンクフィルムを筒状に成形するシュリンクフィルム筒状成形工程と、両縁部分を重なり合わせた重なり部に静電気を付与することで、重なり部の両縁部分同士を弱静電力で接合する接合工程とを備えていることから、重なり部においてシュリンクフィルムの両縁部分を分離可能に接合することが可能となり、開封者が重なり部における表側のフィルムを引き上げることで、少ない手間（１動作）で重なり部を開いて容易に被包装物を取り出すことができるシュリンク包装物品を製造することができる。
なお、弱静電力で接合させるとは、接合部分を分離させる力を加えた際、それぞれの接合対象が破壊されることなく形状を維持した状態で分離可能となる程度に、弱い静電力で互いに引き合って接合させることをいう。
【００１２】
また、本発明のシュリンク包装物品の製造方法によれば、シュリンクフィルムを送り方向に対して交差する方向に沿って溶断することで、被包装物をシュリンクフィルムに封入する封入工程を備えていることから、比較的引き裂き易い溶断された部分が重なり部と繋がって形成されるようになり、開封者が重なり部を開く動作から連続した動作で、溶断された部分を引き裂くことで被包装物を広い範囲で露出させて取り出しやすいシュリンク包装物品を製造することができる。
【００１３】
また、本発明のシュリンク包装物品の製造方法によれば、開封テープを重なり部の表面に貼り付ける開封テープ貼り付け工程を備えていることから、開封者が開封テープを引っ張ることで、容易に重なり部を分離させることができるシュリンク包装物品を製造することができる。
【００１４】
また、本発明のシュリンク包装物品の製造方法によれば、重なり部が分離可能であることから、ミシン目や開封用帯が形成された特殊形状のシュリンクフィルムを用いる必要がなくなり、コストを抑えたシュリンク包装物品を製造することができる。
【００１５】
また、本発明のシュリンク包装物品の製造方法によれば、貫通するミシン目のような外気を多く通す部分がシュリンクフィルムに形成されていないことから、被包装物の保存期間が短くならない。
【００１６】
その結果、本発明のシュリンク包装物品の製造方法は、特殊形状のシュリンクフィルムを用いることなくコストを抑えることができ、被包装物の保存期間を短くすることなく、被包装物を取り出すための手間が少ないシュリンク包装物品の製造方法となる。
【００１７】
［２］本発明のシュリンク包装物品の製造方法においては、前記開封テープ貼り付け工程では、前記開封テープを、前記重なり部から外側に張り出すようにして貼り付けることが好ましい。
【００１８】
このような製造方法とすることで、開封者がより開封しやすいよう、開封テープをつまみやすいシュリンク包装物品を製造することができる。
【００１９】
［３］本発明のシュリンク包装物品は、固形の被包装物と、重なり合って弱静電力によって接合されている重なり部を有し、前記被包装物を封入しているシュリンクフィルムと、前記重なり部の表面に貼り付けられている開封テープとを備えることを特徴とする。
【００２０】
本発明のシュリンク包装物品によれば、重なり合って弱静電力によって接合されている重なり部を有し、被包装物を封入しているシュリンクフィルムを備えていることから、重なり部が剥離可能となり、開封者は、重なり部の表側のフィルムを引き上げることで、少ない手間（１動作）で重なり部を開いて容易に被包装物を取り出すことができる。
なお、弱静電力で接合されているとは、接合部分を分離させる力が加えられた際、それぞれの接合対象が破壊されることなく形状を維持した状態で分離可能となる程度に、弱い静電力で互いに引き合って接合されていることをいう。
【００２１】
また、本発明のシュリンク包装物品によれば、重なり部の表面に貼り付けられている開封テープを備えていることから、開封者は、開封テープを引っ張ることで、容易に重なり部を開くことができる。
【００２２】
また、本発明のシュリンク包装物品によれば、重なり部が分離可能であることから、ミシン目や開封用帯が形成された特殊形状のシュリンクフィルムを用いる必要がなくなり、コストを抑えることができる。
【００２３】
また、本発明のシュリンク包装物品によれば、貫通するミシン目のような外気を多く通す部分がシュリンクフィルムに形成されていないことから、被包装物の保存期間が短くならない。
【００２４】
その結果、本発明のシュリンク包装物品は、特殊形状のシュリンクフィルムを用いることなくコストを抑えることができ、被包装物の保存期間を短くすることなく、被包装物を取り出すための手間が少ないシュリンク包装物品となる。
【００２５】
［４］本発明のシュリンク包装物品においては、前記シュリンクフィルムは、溶着された溶着部を有し、前記溶着部が前記重なり部と繋がっていることが好ましい。
【００２６】
このように構成されたシュリンク包装物品によれば、比較的引き裂き易い溶着部が重なり部と繋がっていることから、重なり部が開き切った後には溶着部が引き裂かれることになり、被包装物を広い範囲で露出させて取り出しやすいシュリンク包装物品となる。
【００２７】
［５］本発明のシュリンク包装物品においては、前記シュリンクフィルムは、熱収縮によって少なくとも部分的に前記被包装物を密着固定して、前記被包装物を封入していることが好ましい。
【００２８】
このように構成されたシュリンク包装物品によれば、被包装物がしっかりと嵩張らないように封入されたシュリンク包装物品となる。
【００２９】
［６］本発明のシュリンク包装物品においては、前記開封テープは、前記重なり部の長手方向における中間位置に貼り付けられていることが好ましい。
【００３０】
このように構成されたシュリンク包装物品によれば、開封者によって開封テープが引っ張られることで重なり部が左右に剥離していくことから、短時間で重なり部を剥離させることができるシュリンク包装物品となる。
【００３１】
［７］本発明のシュリンク包装物品においては、前記開封テープは、前記重なり部から外側に張り出していることが好ましい。
【００３２】
このように構成されたシュリンク包装物品によれば、開封者が開封テープをつまみやすいシュリンク包装物品となる。
【図面の簡単な説明】
【００３３】
【図１】実施形態に係るシュリンク包装物品１の斜視図である。
【図２】実施形態に係るシュリンク包装物品１の断面図である。
【図３】実施形態に係るシュリンク包装物品の開封方法を説明する図である。
【図４】実施形態に係るシュリンク包装物品の製造方法を示すフローチャートである。
【図５】実施形態に係るシュリンク包装物品の製造ラインの模式図である。
【図６】接合工程Ｓ４における実施形態に係るシュリンク包装物品の製造ラインの斜視図である。
【図７】ミシン目Ｃが形成されたシュリンクフィルムを用いてシュリンク包装されたシュリンク包装物品７００の斜視図である（従来技術）。
【図８】開封用帯Ｔが形成されたシュリンクフィルムを用いてシュリンク包装されたシュリンク包装物品８００の斜視図である（従来技術）。
【発明を実施するための形態】
【００３４】
以下、本発明に係るシュリンク包装物品及びシュリンク包装物品の製造方法について、図面を参照して説明する。なお、各図面は必ずしも実際の寸法や細部までを厳密に反映したものではない。
【００３５】
［実施形態］
（１．シュリンク包装物品１の構成）
最初にシュリンク包装物品１の構成を説明する。
図１は、実施形態に係るシュリンク包装物品１の斜視図である。
図２は、実施形態に係るシュリンク包装物品１の断面図である。
【００３６】
シュリンク包装物品１は、図１及び図２に示すように、立体的であり、被包装物１０と、被包装物１０を封入しているシュリンクフィルム２０と、シュリンクフィルムに貼り付けられている開封テープ３０とを備えている。
なお、以下において説明の便宜上、開封テープ３０が貼り付けられている面を「天面」、開封テープ３０が貼り付けられている面に交差する面を「側面」として説明する場合がある。また、方向を説明する際に「一方」及び「他方」を用いた場合には、「他方」は、直前に説明した「一方」に対し、ほぼ対向する方向の意味である。
【００３７】
被包装物１０は、石鹸であり、被包装物の一例である。なお、被包装物はおにぎりや化粧品の容器であってもよく、その他固形の物であってもよい。
【００３８】
シュリンクフィルム２０は、透明なポリオレフィン系の熱収縮フィルムからなり、被包装物１０全体を覆うようにして成形されており、内側に被包装物１０を封入している。シュリンクフィルム２０は、フィルム同士が重なり合っている重なり部２１と、フィルム同士が溶着されている溶着部２２とを有していることで、１枚の熱収縮フィルムで隙間なく被包装物１０全体を包み込んでいる。シュリンクフィルム２０は、熱収縮していることによって少なくとも部分的に被包装物１０を密着固定して被包装物１０を封入している。
【００３９】
重なり部２１は、元がシート状のシュリンクフィルム２０が筒状に丸められた際に、シート状のシュリンクフィルム２０における対向する両縁部分２０ａ，２０ｂを重なり合わせた部分である。重なり部２１は、両縁部分２０ａ，２０ｂに沿って延びており、一方の側面の中間位置（後述の溶着部２２の位置）から他方の側面の中間位置（後述の溶着部２２の位置）にかけて、両側面間の面（本実施形態では天面）を経由する帯状の区画として形成されている。また、重なり部２１は、弱い静電気を帯びて、フィルム同士が弱静電力によって互いに引き合って接合されている。重なり部２１における弱静電力の強さは、接合部分を分離させる力を加えたときには、フィルムが破壊（破れ）されることなく形状を維持した状態で分離可能となる程度、かつ、接合部分を分離させる力を加えていないときには、フィルム同士が隙間なく密着する程度において、開封のために最適化されている。重なり部の幅は特に限定されるものではないが、本実施形態においては、重なり部２１の幅は、５ｍｍ〜２０ｍｍに設定されている。
【００４０】
溶着部２２は、元がシート状のシュリンクフィルム２０が筒状に丸められた際に、開口している部分に熱が加えられて溶着された部分である。このため、溶着部２２は、シート状のシュリンクフィルム２０における対向する両縁部分２０ａ，２０ｂが延びる方向に対し交差する方向、すなわち、重なり部２１が延びる方向に対し交差する方に延びている。また、溶着部２２は、重なり部２１の端に繋がっている。溶着部が形成される箇所及び位置は特に限定されるものではないが、本実施形態においては、溶着部２２が形成されている箇所及び位置は、一方の側面の中間位置及び他方の側面の中間位置にそれぞれ形成されている。
【００４１】
開封テープ３０は、片面において粘着力を有する略長方形状のテープである。開封テープ３０は、非粘着領域３１及び粘着領域３２に分かれており、粘着領域３２における一方の面に粘着力を有している。また、開封テープ３０は、他方の面に指標（文字）３３が表示されている。
開封テープ３０は、シュリンクフィルム２０における重なり部２１の表面に貼り付けられている。すなわち、開封テープ３０は、重なり部２１において表側に重なっているシュリンクフィルム２０の縁部分２０ａに貼り付けられている。また、開封テープ３０は、長手方向（延びる方向）の中間位置（ほぼ中央位置）において、非粘着領域３１を重なり部２１から外側（シュリンクフィルム２０の表側の縁部分２０ａの外側）に張り出すようにして貼り付けられている。
【００４２】
非粘着領域３１は、両面共に粘着層が形成されていない領域であり、開封テープ３０がシュリンクフィルム２０に貼り付けられた際に、シュリンクフィルム２０から浮いている領域である。
【００４３】
粘着領域３２は、片面に粘着層が形成されている領域であり、開封テープ３０がシュリンクフィルム２０に貼り付けられた際に、シュリンクフィルム２０に貼り付く領域である。なお、粘着領域３２におけるシュリンクフィルム２０に対する粘着力による接合の強さは、同面積当たりのシュリンクフィルム２０の重なり部２１における弱静電力よる接合の強さよりも強くなっている。
【００４４】
指標３３は、シュリンク包装物品１が開封される際に、開封者が開封するためのきっかけを認識しやすいように示された表示の一例であり、下側を開封方向に向けた文字である。なお、指標は、開封者が認識できるよう表示されていればよく、矢印等の図形であってもよい。また、指標は、開封者が開封テープ３０のつまみ箇所を認識しやすいという点において非粘着領域３１上に表示されていることが好ましいが、特に表示位置を限定するものではない。
【００４５】
（２.シュリンク包装物品の開封方法）
続いて、シュリンク包装物品の開封方法を説明する。
図３は、実施形態に係るシュリンク包装物品の開封方法を説明する図である。図３（ａ）〜図３（ｅ）は、シュリンク包装物品１が開封される際に、被包装物１０が徐々に露出していく様子を順に示している。
【００４６】
まず、開封者は、シュリンクフィルム２０の表側の縁部分２０ａをめくるよう、一方に向かって、開封テープ３０をめくり上げる。そうすると、シュリンクフィルム２０の重なり部２１が開封テープ３０付近から開き始める（図３（ａ）参照）。
【００４７】
開封者は、そのまま開封テープ３０を摘まんだまま、開封テープ３０を一方に向かって引っ張る。そうすると、シュリンクフィルム２０の重なり部２１が端まで開ききる（図３（ｂ）参照）。
【００４８】
開封者は、さらにそのまま開封テープ３０を摘まんだまま、開封テープ３０を引っ張り続ける。そうすると、シュリンクフィルム２０の溶着部２２が引き裂かれ始め、被包装物１０がシュリンクフィルム２０から段々露出していく（図３（ｃ）参照）。
【００４９】
シュリンクフィルム２０の溶着部２２が端まで引き裂かれた所で、開封者は、そのまま開封テープ３０を摘まんだままで、シュリンクフィルム２０を裏返すよう、開封テープ３０を他方に向けて引っ張る（図３（ｄ）参照）。
【００５０】
開封者は、そのまま開封テープ３０を摘まんだままで、開封テープ３０を他方に向かって引っ張り続ける。そうすると、被包装物１０がシュリンクフィルム２０から大きく露出する（図３（ｅ）参照）。開封者は、被包装物１０がシュリンクフィルム２０から大きく露出したところで、被包装物１０を容易に取り出すことができる。
【００５１】
（３.シュリンク包装物品の製造方法）
続いて、シュリンク包装物品の製造方法を説明する。
図４は、実施形態に係るシュリンク包装物品の製造方法を示すフローチャートである。
図５は、実施形態に係るシュリンク包装物品の製造ラインの模式図である。
図６は、接合工程Ｓ４における実施形態に係るシュリンク包装物品の製造ラインの斜視図である。
【００５２】
シュリンク包装物品の製造方法は、図４に示すように、シュリンクフィルム供給工程Ｓ１、被包装物供給工程Ｓ２、シュリンクフィルム筒状成形工程Ｓ３、接合工程Ｓ４、封入工程Ｓ５、孔あけ工程Ｓ６、収縮工程Ｓ７、及び開封テープ貼り付け工程Ｓ８を順に実施する。シュリンク包装物品の製造方法は、図５に示すように製造ラインで各工程を連続して実施する。
【００５３】
シュリンクフィルム供給工程Ｓ１では、長尺なシュリンクフィルム２０を送り方向Ｌに沿って送りながら供給する。シュリンクフィルム供給工程Ｓ１では、シュリンクフィルム２０を、ロール状に巻かれた状態から引き出して平面状にしてから製造ラインの搬送路に供給する。
【００５４】
被包装物供給工程Ｓ２では、シュリンクフィルム供給工程Ｓ１で供給されたシュリンクフィルム２０と重なる位置に固形の被包装物１０を供給する。さらに詳しくは、平面状にされたシュリンクフィルム２０上に、供給装置（不図示）を用い一定間隔をあけて、所定の位置及び所定向きで被包装物１０を配置する。
【００５５】
シュリンクフィルム筒状成形工程Ｓ３では、成形装置Ｍ１を用い、被包装物供給工程Ｓ２で供給された被包装物１０を囲うようにシュリンクフィルム２０の送り方向に沿って延びる両縁部分２０ａ，２０ｂを互いに重なり合わせて、シュリンクフィルム２０を筒状に成形する。すなわち、シュリンクフィルム筒状成形工程Ｓ３では、送り方向Ｌに沿って延びる筒状のシュリンクフィルム２０の内側に、被包装物１０が連続して配置された状態にされる。また、シュリンクフィルム筒状成形工程Ｓ３では、筒状のシュリンクフィルム２０の上方に、両縁部分２０ａ，２０ｂを重なり合わせた重なり部２１が送り方向Ｌに沿って一直線上に延びて形成される。重なり部２１の幅は特に限定されるものではないが、本実施形態のシュリンクフィルム筒状成形工程Ｓ３では、重なり部２１の幅が５ｍｍ〜２０ｍｍになるように両縁部分２０ａ，２０ｂを互いに重なり合わせている。
【００５６】
接合工程Ｓ４では、帯電装置（帯電ガン）Ｍ２を用い、コロナ放電により発生させた静電気を、シュリンクフィルム２０における重なり部２１に付与する（図６参照）。接合工程Ｓ４では、重なり部２１が送り方向Ｌに沿って一直線状に延びて形成されていることから、帯電装置Ｍ２を固定したままシュリンクフィルム２０が送られることで、重なり部２１には切れ間なく静電気が付与される。接合工程Ｓ４では、重なり部２１に静電気を付与することで、重なり部２１の両縁部分２０ａ，２０ｂ同士を弱静電力で接合する。弱静電力で接合している状態とは、接合部分を分離させる力を加えた際、それぞれの接合対象が破壊されることなく形状を維持した状態で分離可能となる程度に、弱い静電力で互いに引き合って接合している状態である。このため、接合工程Ｓ４では、重なり部２１に付与する静電気の大きさは、開封のために最適化されている。より詳しくは、重なり部２１に付与する静電気の大きさは、接合後に重なり部２１を分離させる力を加えたときには、フィルムが破壊（破れ）されることなく形状を維持した状態で分離可能となる程度、かつ、重なり部２１を分離させる力を加えていないときには、フィルム同士が隙間なく密着する程度において、開封のために最適になるよう調整されている。
【００５７】
封入工程Ｓ５では、溶断装置Ｍ３を用い、熱エネルギーを持った刃でシュリンクフィルム２０を送り方向Ｌに対して交差する方向に沿って溶断することで、被包装物１０をシュリンクフィルム２０内に封入する。さらに詳しくは、封入工程Ｓ５では、被包装物１０を内側に配置した長尺の筒状シュリンクフィルム２０に対し、まず、被包装物１０の送り方向Ｌの下流側（搬送路下流に位置する被包装物との間）を幅方向に切断する。この際、本実施形態では溶断装置Ｍ３を用いて熱エネルギーを持った刃で切断するため、切断部分は、切断と同時に切断箇所の開口が溶けて溶着した溶着部２２となる。次に、同様に、被包装物１０の送り方向Ｌの上流側（搬送路上流に位置する被包装物との間）を幅方向に切断する。切断部分は、切断と同時に切断箇所の開口が溶けて溶着した溶着部２２となる。すなわち、封入工程Ｓ５では、長尺のシュリンクフィルム２０を被包装物１０が個装された状態に分断すると同時に、被包装物１０が封入された状態に溶着する。
【００５８】
孔あけ工程Ｓ６では、孔あけ装置Ｍ４を用い、シュリンクフィルム２０に微小な通気孔２３をあける。孔あけ工程Ｓ６であけられる通気孔２３は、後述する収縮工程Ｓ７においてシュリンクフィルム２０内で膨張した空気を外に逃がす目的の孔である。通気孔２３は、被包装物１０が外部空気に触れることで劣化を早めてしまわない程度にシュリンクフィルム２０内の空気を外に逃がせるだけの微小サイズで形成されるとともに、位置及び数が最適化されてあけられる。なお、孔あけ工程Ｓ６は、収縮工程Ｓ７の前であれば、どの段階で実施してもよい。例えば、被包装物供給工程Ｓ２の直前に実施してもよい。
【００５９】
収縮工程Ｓ７では、加熱装置Ｍ５を用い、被包装物１０が封入されたシュリンクフィルム２０に熱を加えることで、シュリンクフィルム２０を熱収縮させて、シュリンクフィルム２０を被包装物１０に密着させる。収縮工程Ｓ７において、加える熱の温度や加える時間は、使用するシュリンクフィルムの特性に従い適宜設定すればよいが、例えば、１４５℃の温度で１０秒程度に設定する。収縮工程Ｓ７では、シュリンクフィルム２０は、内部の空気が膨張して一端膨らむが、膨張した空気が通気孔２３から外部に抜けながら熱収縮することで、最終的には被包装物１０にしっかり密着するまで縮む。
【００６０】
開封テープ貼り付け工程Ｓ８では、テープ貼り付け装置（不図示）を用い、粘着面を有する開封テープ３０をシュリンクフィルム２０の重なり部２１の表面に貼り付ける。開封テープ貼り付け工程Ｓ８では、所定の開封テープ３０を所定の位置及び所定の方向を向けて貼り付ける。具体的には、開封テープ貼り付け工程Ｓ８では、上述のシュリンク包装物品１の構成において説明したようなシュリンクフィルム２０に貼り付けられた開封テープ３０の状態になるようにして、開封テープ３０を、シュリンクフィルム２０の重なり部２１から外側に張り出すようにして貼り付ける。
【００６１】
（４.実施形態の効果）
実施形態に係るシュリンク包装物品の製造方法によれば、被包装物１０を囲うように、シュリンクフィルム２０の送り方向Ｌに沿って延びる両縁部分２０ａ，２０ｂを互いに重なり合わせてシュリンクフィルム２０を筒状に成形するシュリンクフィルム筒状成形工程Ｓ３と、両縁部分２０ａ，２０ｂを重なり合わせた重なり部２１に静電気を付与することで、重なり部２１の両縁部分２０ａ，２０ｂ同士を弱静電力で接合する接合工程Ｓ４とを備えていることから、重なり部２１においてシュリンクフィルム２０の両縁部分２０ａ，２０ｂを分離可能に接合することが可能となり、開封者が重なり部２１における表側のフィルム（２０ａ）を引き上げることで、少ない手間（１動作）で重なり部２１を開いて容易に被包装物１０を取り出すことができるシュリンク包装物品１を製造することができる。
【００６２】
また、実施形態に係るシュリンク包装物品の製造方法によれば、シュリンクフィルム２０を送り方向Ｌに対して交差する方向に沿って溶断することで、被包装物１０をシュリンクフィルム２０に封入する封入工程Ｓ５を備えていることから、比較的引き裂き易い溶断された部分（溶着部２２）が重なり部２１と繋がって形成されるようになり、開封者が重なり部２１を開く動作から連続した動作で、溶断された部分（溶着部２２）を引き裂くことで被包装物１０を広い範囲で露出させて取り出しやすいシュリンク包装物品１を製造することができる。
【００６３】
また、実施形態に係るシュリンク包装物品の製造方法によれば、開封テープ３０を重なり部２１の表面に貼り付ける開封テープ貼り付け工程Ｓ８を備えていることから、開封者が開封テープ３０を引っ張ることで、容易に重なり部２１を分離させることができるシュリンク包装物品１を製造することができる。
【００６４】
また、実施形態に係るシュリンク包装物品の製造方法によれば、重なり部２１が分離可能であることから、ミシン目や開封用帯が形成された特殊形状のシュリンクフィルムを用いる必要がなくなり、らコストを抑えたシュリンク包装物品１を製造することができる。
【００６５】
また、実施形態に係るシュリンク包装物品の製造方法によれば、貫通するミシン目のような外気を多く通す部分がシュリンクフィルム２０に形成されていないことから、被包装物１０の保存期間が短くならない。
【００６６】
その結果、実施形態に係るシュリンク包装物品の製造方法は、特殊形状のシュリンクフィルムを用いることなくコストを抑えることができ、被包装物１０の保存期間を短くすることなく、被包装物１０を取り出すための手間が少ないシュリンク包装物品の製造方法となる。
【００６７】
また、実施形態に係るシュリンク包装物品の製造方法によれば、開封テープ貼り付け工程Ｓ８では、開封テープ３０を、重なり部２１から外側に張り出すようにして貼り付けることから、開封者が開封しやすいよう、開封テープ３０をつまみやすいシュリンク包装物品１を製造することができる。
【００６８】
実施形態に係るシュリンク包装物品１によれば、重なり合って弱静電力によって接合されている重なり部２１を有し、被包装物１０を封入しているシュリンクフィルム２０を備えていることから、重なり部２１が剥離可能となり、開封者は、重なり部２１の表側のフィルム（１０ａ）を引き上げることで、少ない手間（１動作）で重なり部２１を開いて容易に被包装物１０を取り出すことができる。
【００６９】
また、実施形態に係るシュリンク包装物品１によれば、重なり部２１の表面に貼り付けられている開封テープ３０を備えていることから、開封者は、開封テープ３０を引っ張ることで、容易に重なり部２１を開くことができる。
【００７０】
ここで、実施形態に係るシュリンク包装物品１によれば、重なり部２１が分離可能であることから、ミシン目や開封用帯が形成された特殊形状のシュリンクフィルムを用いる必要がなくなり、コストを抑えることができる。
【００７１】
また、実施形態に係るシュリンク包装物品１によれば、貫通するミシン目のような外気を多く通す部分がシュリンクフィルム２０に形成されていないことから、被包装物１０の保存期間が短くならない。
【００７２】
その結果、実施形態に係るシュリンク包装物品１は、特殊形状のシュリンクフィルムを用いることなくコストを抑えることができ、被包装物１０の保存期間を短くすることなく、被包装物１０を取り出すための手間が少ないシュリンク包装物品となる。
【００７３】
また、実施形態に係るシュリンク包装物品１によれば、シュリンクフィルム２０は、溶着された溶着部２２を有し、比較的引き裂き易い溶着部２２が重なり部２１と繋がっていることから、重なり部２１が開き切った後には溶着部２２が引き裂かれることになり、被包装物１０を広い範囲で露出させて取り出しやすいシュリンク包装物品１となる。
【００７４】
また、実施形態に係るシュリンク包装物品１によれば、シュリンクフィルム２０は、熱収縮によって少なくとも部分的に被包装物１０を密着固定して、被包装物１０を封入していることから、被包装物１０がしっかりと嵩張らないように封入されたシュリンク包装物品１となる。
【００７５】
また、実施形態に係るシュリンク包装物品１によれば、開封テープ３０は、重なり部２１の長手方向における中間位置に貼り付けられていることから、開封者によって開封テープ３０が引っ張られることで重なり部２１が左右に剥離していくようになり、短時間で重なり部２１を剥離させることができるシュリンク包装物品１となる。
【００７６】
また、実施形態に係るシュリンク包装物品１によれば、開封テープ３０は、重なり部２１から外側に張り出していることから、開封者が開封テープ３０をつまみやすいシュリンク包装物品１となる。
【００７７】
以上、本発明を上記の実施形態に基づき説明したが、本発明は上記の実施形態に限定されるものではない。その趣旨を逸脱しない範囲において種々の態様において実施することが可能であり、例えば、次のような変形も可能である。
【００７８】
（１）上記した実施形態において記載した構成要素の数、形状、位置、大きさ、角度、製造の際の使用機器、機器の設定等は例示であり、本発明の効果を損なわない範囲において変更することが可能である。
【００７９】
（２）上記した実施形態においては、シュリンクフィルム２０はポリオレフィン系の熱収縮フィルムからなると説明しているが、本発明はこれに限定されるものではない。例えば、シュリンクフィルムは、塩化ビニル系、ポリエチレン系、ポリプロピレン系、ポリスチレン系、又はポリエチレンテレフタレート系の熱収縮フィルムからなってもよい。
【００８０】
（３）上記した実施形態においては、シュリンクフィルム２０は被包装物１０を内側に完全に封入していたが本発明はこれに限定されるものではない。例えば、シュリンクフィルムから被包装物の一部が露出していてもよい。
【００８１】
（４）上記した実施形態においては、開封テープ３０は、シュリンクフィルム２０における重なり部２１に、重なり部２１の長手方向のほぼ中央位置に貼り付けられていると説明したが本発明はこれに限定されるものではない。例えば、開封テープがシュリンクフィルムにおける重なり部の長手方向の端部に貼り付けられていてもよい。この場合には、シュリンク包装物品は、開封される際に、シュリンクフィルムにおいて重なり部が剥離されると同時に溶着部が引き裂かれることになる。
【００８２】
（５）上記した実施形態においては、シュリンク包装物品の製造方法は、製造ラインで各工程を連続して実施すると説明したが本発明はこれに限定されるものではない。例えば、封入工程で個装された状態の被包装物が封入されたシュリンクフィルムをまとめて、大きな加熱炉で収縮工程を実施してもよい。また、収縮工程を経た被包装物が封入されたシュリンクフィルムをまとめてから、手作業で開封テープ貼り付け工程を実施してもよい。
【００８３】
（６）上記した実施形態においては、被包装物供給工程Ｓ２で、シュリンクフィルム２０上に被包装物１０を供給すると説明したが本発明はこれに限定されるものではない。例えば、シュリンクフィルムの下側のシュリンクフィルムと重なる範囲に被包装物を供給し、シュリンクフィルムを下側に向けて巻きつけるようにして製造してもよい。なお、そのようにして製造した場合には、シュリンクフィルムの重なり部が下側に形成されてしまうため、接合工程では、製造ラインの搬送台にスリットや切れ目を設け、静電気付与装置を下側に配置して、上側に向けて静電気を付与する。また、そのようにして製造した場合には、開封テープ貼り付け工程において、下側から開封テープを貼り付けるようにしてもよいが、開封テープ貼り付け工程の前に反転工程を設けて被包装物を封入したシュリンクフィルムを上下反転させることで、開封テープ貼り付け工程では開封テープを上側から貼り付けられるようにしてもよい。
【００８４】
（７）上記した実施形態においては、封入工程Ｓ５について、溶断装置Ｍ３で溶断することで、長尺のシュリンクフィルム２０を被包装物１０が個装された状態に分断すると同時に、被包装物１０が封入された状態に溶着するとして説明したが、本発明はこれに限定されるものではない。例えば、封入工程においては、繋がった状態のシュリンクフィルムを裁断装置や鋏を用いての手作業で分断した後、開口部を溶着装置による溶着シールを行ってもよい。
【符号の説明】
【００８５】
１…シュリンク包装物品、１０…被包装物、２０…シュリンクフィルム、２１…重なり部、２２…溶着部、３０…開封テープ、Ｓ１…シュリンクフィルム供給工程、Ｓ２…被包装物供給工程、Ｓ３…シュリンクフィルム筒状成形工程、Ｓ４…接合工程、Ｓ５…封入工程、Ｓ７…収縮工程、Ｓ８…開封テープ貼り付け工程、Ｌ…送り方向
【図１】
2020055578.tif 000003
【図２】
2020055578.tif 000004
【図３】
2020055578.tif 000005
【図４】
2020055578.tif 000006
【図５】
2020055578.tif 000007
【図６】
2020055578.tif 000008
【図７】
2020055578.tif 000009
【図８】
2020055578.tif 000010